(57)【要約】【課題】ヒータへのスケール付着を無くすことができるばかりでなく、水槽内での沸騰による噴き零れを抑制して、水槽内外へのスケールの付着や堆積を防止でき、しかも、水槽内での水位を極力低くした状態で熱効率良く水分のみを蒸発させることができる加湿装置を提供する。【解決手段】給水用電磁弁７を介して給水される水槽１の底部に、その上面に露呈しない電熱線３で加熱される発熱板４を設置するとともに、この発熱板４上に、排出口１０を上面に、吸い込み口１１を側面に形成した強制循環器９を配置し、発熱板４による加熱温度を測温器５で測温し、その温度により給水用電磁弁７を制御する。強制循環器の吸い込み口１１に、スケールを付着させる網状のスケール付着ネット２９を配置する。【選択図】図３
2008190848.tif 000002
【特許請求の範囲】
【請求項１】
給水用電磁弁を介して給水される水槽の底部に、その上面に露呈しない電熱線で加熱される発熱板を設置するとともに、この発熱板上に、排出口を上面に、吸い込み口を側面に形成した強制循環器を設置し、発熱板による加熱温度を測温器で測温し、その温度により前記給水用電磁弁を制御することを特徴とする加湿装置。
【請求項２】
強制循環器は下面開口した屋根形で、その天井部に排出口、側部に吸い込み口を形成したものであることを特徴とする請求項１に記載の加湿装置。
【請求項３】
強制循環器の吸い込み口に、スケールを付着させる網状のスケール付着ネットを配置したことを特徴とする請求項２に記載の加湿装置。
【請求項４】
水槽及び強制循環器を横長、強制循環器の天井部を山形とし、その天井部の中央に排出口を横長に形成するとともに、強制循環器の両側の側部に吸い込み口を横長に形成し、その各吸い込み口の外側に、スケール付着ネットをロール状に巻いた状態で設置したことを特徴とする請求項３に記載の加湿装置。
【請求項５】
ロール状に巻いたスケール付着ネットを、強制循環器の側部と水槽の内面との間に挟み込んで着脱自在に設置したことを特徴とする請求項４に記載の加湿装置。
【請求項６】
強制循環器を水槽に対して着脱可能としたことを特徴とする請求項１ないし５のいずれかに記載の加湿装置。
【請求項７】
測温器は、強制循環器の上面より突出する保護管内に、水位制御用発熱体と、その温度を感知する感温体とを配設したものであることを特徴とする請求項１ないし６のいずれかに記載の加湿装置。
【請求項８】
水槽の上面開口を蒸気出口を形成した蓋板で覆い、その蒸気出口と強制循環器の排出口との間に、吹き上げ防止板を設置したことを特徴とする請求項１ないし７のいずれかに記載の加湿装置。
【発明の詳細な説明】
【技術分野】
【０００１】
本発明は、水槽内の水を電熱ヒータで加熱沸騰させて水分のみを蒸発させる電熱式加湿装置に関する。
【背景技術】
【０００２】
図１に、空調設備に数多く採用されている従来のこの種の加湿装置の概要を示す。
従来の加湿装置は、水槽１０１内を、その底部までは届かない仕切り板１０２により、水１０３が自由に流通するヒータ室１０１Ａとフロートボール室１０１Ｂとに区画し、ヒータ室１０１Ａ中には、電熱ヒータであるシーズヒータユニット１０４を設置し、フロートボール室１０１Ｂ内にはフロートボール１０５を浮かべ、このフロートボール１０５の揺動により給水弁１０６を開閉して、水槽１０１内の水位を一定に維持するようになっている。
【０００３】
シーズヒータユニット１０４は、複数本のＵ形シーズヒータ１０４ａの套管の基端を共通の基板１０７に固着して、これらシーズヒータ１０４ａを並列一体化したもので、端子ボックス１０８内の電源端子を介して同時に給電され、ヒータ室１０１Ａ内の水１０３を直接加熱する。
【０００４】
シーズヒータユニット１０４の近くには、それによる過熱を防止する過熱防止器１０９が配置されている。また、水槽１０１の一端にはオーバーフロー排水口１１０が設けられ、水槽１０１の下面には固定金具１１１が設けられている。
【０００５】
しかし、これによると次のような問題点があった。
（１）シーズヒータを水に浸漬し、直接加熱して沸騰蒸発させるため、カルシウムやマグネシウム等の不純物の濃度が次第に高まり、水槽内部の全域にわたって多量のスケール（カルシウム、鉄、塩素イオン、マグネシウム、マンガン等を総称する）が堆積し、水槽及びその内部設置部品の腐食をもたらすとともに、濃度が高くなったこれらの成分の飛散により環境も悪化する。
（２）フロートボールや給水弁へのスケールの付着が進むと、これらの作動不良により給水不能となる。
（３）スケールがシーズヒータの套管にも付着し、これを損壊させたり、水への熱伝導の低下により套管内の電熱線が許容温度以上となって溶断し、絶縁破壊によるスパークで漏電事故を起こすことがある。
（４）沸騰時の噴き零れが激しく、水槽外部にまでスケールが付着したり、排水口を塞ぐなど、スケールによる弊害が広範囲に及ぶ。
（５）シーズヒータユニットは複数本のＵ形シーズヒータを並列一体化したものであるため、清掃が難しく、一定期間使用されると、シーズヒータユニット全体を新品と交換して廃棄されており、不経済である。
（６）シーズヒータの套管は水に常時浸漬されているため、水質によっては腐食によるピンホールが発生し易く、套管内に浸水して漏電事故を起こしている。
（７）フロートボールによる水位検知の誤作動防止のため、水槽を水平に設置しなければならず、その調整が必要である。
【０００６】
図１に示したものとは別に、スケールの累積量を少なくするため、給水を持続しながら連続加熱して蒸発させる機種もあるが、電気使用料、水道使用料等の維持費が数倍となる。また、一定時間間隔で強制フローさせる方式もあるが、これも維持費がかさむ。
【０００７】
さらに、超音波加湿器に至ってはスケールや繁殖した細菌も同時に噴霧し、また、滴下気化式加湿器でも同様の問題がある。
【０００８】
一方、特許文献１（特開平５−１１８５９７号公報）には、ヒータへのスケール付着による熱交換率低下及びヒータ破損を防止するため、水槽の仕切られた給水槽と蒸発水槽の底部外面に、伝熱板を密着して配し、更にこの伝熱板に密着させてその下側にヒータを設置し、このヒータの回りを不燃性断熱材で被うことで、ヒータは水槽内の水に触れず、ヒータの熱が伝熱板を介して水に伝わる構造とした加湿装置が開示されている。この加湿装置では、給水弁による給水槽内への給水時間をタイマで設定することにより、給水槽内へ給水した水が、蒸発水槽との間を仕切る境界壁部を越流して蒸発水槽へ入り、蒸発水槽内では、排水管からオーバーフローして水位が一定となるようにしている。
【０００９】
しかし、これによると、ヒータを水槽内ではなく、その底外面に密着して取り付けているので、ヒータへのスケール付着による熱交換率低下及びヒータ破損は防止できるが、蒸発水槽内で沸騰した熱水が排水管からオーバーフローするため、スケールの付着や堆積が水槽外で起きやすい。また、蒸発水槽内で沸騰による泡立ちが生ずると、それを抑制する手段がないので、泡立ちによる噴き零れによって生ずる水槽及びその周辺へのスケール付着は防止できない。
【特許文献１】特開平５−１１８５９７号公報
【発明の開示】
【発明が解決しようとする課題】
【００１０】
本発明の課題は、ヒータ等へのスケール付着を無くすことができるばかりでなく、水槽内での沸騰による噴き零れを抑制して、水槽内外へのスケールの付着や堆積を防止でき、しかも、水槽内での水位を極力低くした状態で熱効率良く水分のみを蒸発させることができる加湿装置を提供することにある。
【課題を解決するための手段】
【００１１】
請求項１に係る本発明の加湿装置は、給水用電磁弁を介して給水される水槽の底部に、その上面に露呈しない電熱線で加熱される発熱板を設置するとともに、この発熱板上に、排出口を上面に、吸い込み口を側面に形成した強制循環器を設置し、発熱板による加熱温度を測温器で測温し、その温度により給水用電磁弁を制御することを特徴とする。
【００１２】
このような加湿装置において、請求項２に係る発明は強制循環器の構造を特徴とするもので、強制循環器は、下面開口した屋根形で、その天井部に排出口、側部に吸い込み口を形成したものである。
請求項３に係る発明は、強制循環器の吸い込み口に、スケールを付着させる網状のスケール付着ネットを配置したものである。
請求項４に係る発明は、強制循環器とスケール付着ネットとの関係を特徴とするもので、水槽及び強制循環器を横長、強制循環器の天井部を山形とし、その天井部の中央に排出口を横長に形成するとともに、強制循環器の両側の側部に吸い込み口を横長に形成し、その各吸い込み口の外側に、スケール付着ネットをロール状に巻いた状態で設置したものである。
請求項５に係る発明は、スケール付着ネットの設置を特徴とするもので、ロール状に巻いたスケール付着ネットを、強制循環器の側部と水槽の内面との間に挟み込んで着脱自在に設置したものである。
請求項６に係る発明は、強制循環器を水槽に対して着脱可能としたものである。
【００１３】
請求項７に係る発明は、測温器の構造を特徴とするもので、その構造は、強制循環器の上面より突出する保護管内に、水位制御用発熱体と、その温度を感知する感温体とを配設したものである。
【００１４】
請求項８に係る発明は、水槽の蓋構造を特徴とするもので、水槽の上面開口を蒸気出口を形成した蓋板で覆い、その蒸気出口と強制循環器の排出口との間に、吹き上げ防止板を設置したものである。
【発明の効果】
【００１５】
請求項１に係る本発明によれば次のような効果がある。
（１）水槽の底部に、その上面に電熱線が露呈しない発熱板を設置したので、シーズヒータを水に直接浸漬していた従来に比べ、スケールの堆積や付着が少なくなり、また、シーズヒータにスケールが付着してその電熱線の断線、套管の破裂、腐食による漏電を起こすなどの問題が解消される。
（２）水槽の内部空間にシーズヒータが存在しないため、水槽内の清掃が容易になる。
（３）排出口を上面に、吸い込み口を側面に形成した強制循環器を水槽の底部の発熱板上に配置したので、発熱板で加熱された熱水は強制循環器の上面の排出口から上昇し、その排出に伴い強制循環器内が負圧となって側面の吸い込み口から強制的に吸引されるので、強制循環器外への上昇流と、強制循環器内への下降流とが循環する熱水の強制循環が起こる。また、沸騰により泡立っても、その泡が強制循環器内で遊動することで混じり合って次第に大きな泡となり、強制循環器の排出口から抜け出るとき及びその直後に破裂して消泡されるので、熱水の強制循環と消泡とにより沸騰よる噴き零れを防止でき、噴き零れによる水槽外へのスケール付着を解消できる。
（４）沸騰による噴き零れを防止できることから、水槽の深さを浅くして水位を出来るだけ低くした状態で沸騰させることが可能となり、従って、水を少量ずつ短時間に加熱蒸発させて熱効率の向上を図ることができる。
（５）発熱板による加熱温度を測温器で測温し、その温度により給水用電磁弁を制御するので、空焚きによる異常加熱を防止できるとともに、水位一定維持のための水槽の微妙な設置調整が不要となる。また、スケールが付着した頃を見計らって、給水を制限した状態で発熱板による加熱温度がある一定の高温になるまで加熱することで、スケールを高熱を利用して強制的に剥がすこともできる。
（６）スケールの堆積・付着が少ない状況で、沸騰による噴き零れを防止しながら水分のみを蒸発させる仕組みであるので、カルキ飛散による環境への悪影響がなく、殺菌効果も高い。
【００１６】
請求項２に係る発明によれば、強制循環器が下面開口した屋根形で、その天井部に排出口、側部に吸い込み口を形成したものであるので、水槽内の熱水及び泡が側部の吸い込み口から強制循環器内に吸い込まれ、流速を抑えられて天井部の排出口から強制循環器外へと上昇する強制循環を繰り返すので、このような強制循環の繰り返しにより熱水の飛散と泡立ちが抑制されるので、蒸発を促進しながら沸騰による噴き零れを有効に防止できる。
【００１７】
請求項３に係る発明によれば、強制循環器の吸い込み口に網状のスケール付着ネットを配置してこれにスケールを付着させるので、熱水を強制循環器で強制循環させながらその吸い込み口でスケールを捕集することにより、スケールによる弊害を効果的に抑えることができる。
【００１８】
請求項４に係る発明によれば、水槽を横長とするのに合わせて強制循環器を横長とするとともに、その天井部を山形とし、この天井部の中央に排出口を横長に形成するとともに、強制循環器の両側の側部に吸い込み口を横長に形成し、その各吸い込み口の外側に、スケール付着ネットをロール状に巻いた状態で設置したので、強制循環器による熱水の循環及びスケール付着ネットによるスケール捕集を効率良く行うことができるとともに、スケール付着ネットからのスケール除去も簡単である。
【００１９】
請求項５に係る発明によれば、ロール状に巻いたスケール付着ネットを、強制循環器の側部と水槽の内面との間に挟み込んで着脱自在に設置したので、スケール付着ネットを取り出してそれからのスケール除去（清掃）を容易に行うことができる。
請求項６に係る発明によれば、強制循環器を水槽に対して着脱可能としたので、強制循環器自体及び水槽内の清掃が容易である。
【００２０】
請求項７に係る発明によれば、発熱板による加熱温度を測温する測温器は、強制循環器の上面より突出する保護管内に、水位制御用発熱体と、その温度を感知する感温体とを配設したものであるので、発熱板の加熱により蒸発して水位が保護管内の水位制御用発熱体の高さよりも下がると、この発熱体の温度が急上昇し、これを保護管内の感温体が感温することで給水用電磁弁が開いて給水が行われるので、水槽内の水位を発熱板に対して所定の低い水位に保ちながら、熱効率良く蒸発させることができる。
【００２１】
請求項８に係る発明によれば、水槽の上面開口を蒸気出口を形成した蓋板で覆い、その蒸気出口と強制循環器排出口との間に、吹き上げ防止板を設置したので、水槽上面からの噴き零れ防止と、水槽外部への蒸気の噴き出しとを簡単な構造で実現できる。
【発明を実施するための最良の形態】
【００２２】
図２及び図３に本発明による加湿装置の全体の概要断面図を示す。
この加湿装置は、横長箱状の水槽１を外装ハウジング２内に設け、この水槽１の底部に、その上面に露呈しない電熱線３で加熱される発熱板４を設置し、この発熱板４の加熱温度をこれに付設した測温器５で測温し、その温度により給水管６の給水用電磁弁７を制御する。発熱板４は、水槽１外において外装ハウジング２内に配置した電源接続端子８を介して電源に接続される。
【００２３】
発熱板４上には、水槽１の内面長さとほぼ同じ長さの横長の強制循環器９が取り外し可能に設置されている。強制循環器９は、天井部９ａと、その両側縁から垂下する両側の側部とはあるが、底板が無いことにより下面が開口した屋根形で、その天井板９ａには排出口１０が設けられ、両側の側部には吸い込み口１１が設けられている。
【００２４】
強制循環器９の両側の側部と水槽１の両側の内面との間には、スケールを付着させる網状のスケール付着ネット２９がロール状に巻いた状態にして着脱自在に挟み込まれ、両側の吸い込み口１１のそれぞれは、このスケール付着ネット２９によって全長を覆われている。
【００２５】
水槽１の上面は、中央に蒸気出口１３を有する蓋板１２で覆われている。この蓋板１２も取り外し可能となっている。この蓋板１２の下側には、その蒸気出口１３の幅員よりも幅広く長さも長い吹き上げ防止板１２Ｂが、蒸気出口１３と所定の間隔をおいてその下側から離れてこれを覆うように設置されている。
【００２６】
給水管６は、給水用電磁弁７を外装ハウジング２内に配置するため、外装ハウジング２の外部からその内部へ入り込んでおり、水槽１内への給水は、給水用電磁弁７が開いたときに行われる。
【００２７】
水槽１の内壁面には、水槽１内の通常の水位が一定高さを超えないようにする水位検知器１４が設置されている。
また、水槽１には、そのなかの水位が制限以上となったときにオーバーフローさせて外装ハウジング２外へ排水するために、オーバーフロー管１５が接続されている。
【００２８】
外装ハウジング２の底部４箇所には、本加湿装置の高さ及び傾きを調整するための調整脚１６が設けられている。
【００２９】
このような加湿装置によると、水槽１内の水は、水槽１の底部に設置された発熱板４によりその電熱線３に触れることなく、底部のほぼ全域から加熱される。図３に示すように、発熱板４で加熱された熱水１７は、強制循環器９内を排出口１０に向かって上昇し、排出口１０から上へ抜ける上昇流１８ａとなる。これに伴い強制循環器９内が負圧となってその側面の回りの熱水が吸い込み口１１から強制循環器９内に吸引されるので、強制循環器９外への上昇流１８ａと、強制循環器９内への下降流１８ｂとが循環する強制循環が起こる。吸い込み口１１には、ロール状に巻いたスケール付着ネット２９が配置されているので、このスケール付着ネット２９にスケールが付着する。
【００３０】
沸騰により強制循環器９で生じた泡は熱水１７と共に循環し、強制循環器９内に吸い込まれた泡は遊動して混じり合うことにより次第に大きくなり、大きくなった泡は、強制循環器９の排出口１０から上へ噴き出すとき及びその直後に破裂し、また、沸騰して排出口１０から吹き上がった熱水やその飛沫は、吹き上げ防止板１２Ｂに当たることにより、蒸気出口１３外への飛散を防止され、蒸気出口１３からは蒸気１９のみが排出されるので、蒸発を促進しながら沸騰による噴き零れを有効に防止することができる。
【００３１】
測温器５は、図４に示すように、発熱板４内からその上面を超えて突出する保護管２０内の上部に、水位制御用発熱体２１を設置するとともに、この発熱体２１の下側に感温体２２を配設したものである。発熱板４の加熱により水槽１内の水が蒸発し、水槽１内の水位が保護管２０内の水位制御用発熱体２１の高さよりも下がると、この発熱体２１の温度が急上昇し、これを感温体２２が感温することで、給水用電磁弁７が制御される。
【００３２】
その制御例を図５にグラフをもって示す。
運転開始後、測温器５の検知温度がある温度Ｔ１以上となったら給水用電磁弁７を開いて給水し、これを繰り返す。測温器５の温度がＴ１より高い温度Ｔ２を超えたら、異常過熱として運転を停止する。
【実施例１】
【００３３】
上記のような構造を具体化した本発明の実施例１の加湿装置について説明する。図６にその外観斜視図を示す。
この実施例１の加湿装置は、横長箱状のステンレス製水槽１の一端に給水ボックス１ａを区画形成するとともに、水槽１の他端外側に電源接続ボックス１ｂを設け、水槽１の上面開口を横長の蒸気出口１３を有するステンレス製蓋板１２で覆い、また、水槽１の底部の外側四箇所に、設置高さ及び傾きを調整する調整脚１６を設けている。
【００３４】
図７に蓋板１２を取り外した分解斜視図を示すように、水槽１内には、その内部長さに適合する長さの横長の強制循環器９が水槽底部上に着脱自在に設置されている。図８に強制循環器９の形状を示す。
【００３５】
強制循環器９は、一枚のステンレス板で横長の屋根形に成形され、その山形の天井部９ａの中央に横長の排出口１０を形成するとともに、両側の側部に、その端部のみが残るように欠如して横長の吸い込み口１１を形成している。
【００３６】
蓋板１２の下面には、図７に示すように、その蒸気出口１３の幅員よりも幅広く長さも長いステンレス板である吹き上げ防止板１２Ｂが、蒸気出口１３と所定の間隔をおいてその下側から離れてこれを覆うように、蓋板１２の両端のブラケット１２ａにて付設されている。吹き上げ防止板１２Ｂの両側縁部１２ｂは下側に折曲されている。
【００３７】
図９の簡略断面図に示すように、水槽１の底部は、電熱線として既製のシーズヒータ３を内蔵した発熱板４によって構成されている。発熱板４の加熱温度は、その中央に付設した測温器５によって測温される。これらの下側には断熱材２８が設けられている。
【００３８】
強制循環器９の両側の側部と水槽１の両側の内面との間には、スケールを付着させる網状のスケール付着ネット２９がロール状に巻いた状態にして着脱自在に挟み込まれ、両側の吸い込み口１１のそれぞれは、このスケール付着ネット２９によって全長を覆われている。
【００３９】
スケール付着ネット２９は、図１０に示すように、極細のステンレス線の複数本縒りを網状に編んだステンレスネットを、図１１に示すようにロール状に巻いて使用するもので、そのロールの大きさを自由に膨縮させることができるので、強制循環器９と水槽１の内面との間に簡単に挟み込むことができるとともに、簡単に抜き取ることができる。
【００４０】
このように構成された実施例１の加湿装置によると、図９に示すように、図３をもって説明した場合と同様に、発熱板４で加熱された熱水１７は、強制循環器９内を排出口１０に向かって上昇し、排出口１０から上へ抜ける上昇流となる。その上昇流は、強制循環器９の天井部９ａが山形で、その中央の排出口１０へ誘導されるため、循環が促進される。これに伴い強制循環器９内が負圧となってその側面の回りの熱水が吸い込み口１１から強制循環器９内に強制吸引されるので、強制循環器９外への上昇流１８と、強制循環器９内への下降流１９とが循環する強制循環が起こる。熱水が吸い込み口１１から繰り返し吸い込まれる際、ロール状に巻いたスケール付着ネット２９にスケールが付着する。
【００４１】
沸騰により強制循環器９で生じた泡は熱水１７と共に循環し、強制循環器９内に吸い込まれた泡は遊動して混じり合うことにより次第に大きくなり、大きくなった泡は、強制循環器９の排出口１０から上へ噴き出すとき及びその直後に破裂し、また、沸騰して排出口１０から吹き上がった熱水やその飛沫は、両側縁部１２ｂが垂下している吹き上げ防止板１２Ｂに当たることにより、蒸気出口１３外への飛散を防止され、蒸気出口１３からは蒸気のみが排出される。
【００４２】
スケールが付着したスケール付着ネット２９は、これを水槽１外へ取り出し、乾燥後に手で揉むだけで簡単にスケールを除去できる。
【実施例２】
【００４３】
次に、本発明の実施例２の加湿装置について説明する。
図１３に本実施例の加湿装置全体の外観斜視図、図１４に外観正面図、図１５に水槽の蓋板を取り外した斜視図、図１６に断面図を示す。
【００４４】
この加湿装置は、上面が開口した横長の水槽１を横長の外装ハウジング２内に設置し、その上面開口を蒸気出口１３を有する蓋板１２で閉じている。蓋板１２の下側には、その蒸気出口１３の幅員よりも幅広く長さも長いステンレス板である吹き上げ防止板１２Ｂが、蒸気出口１３と所定の間隔をおいてその下側から離れてこれを覆うように付設されている。これら蓋板１２及び吹き上げ防止板１２Ｂは水槽１から同時に取り外すことができる。
【００４５】
外装ハウジング２の一端には、仕切板２４にて仕切られた接続室２５が形成されている。
給水管６は、この接続室２５内において給水用電磁弁７を備えているとともに、一端の接続口６ａを外装ハウジング２の一端外部へ突出させ、また、その反対側では、接続室２５の蓋板２６を上側に貫通して水槽１の外蓋板１２Ａ上まで延びてから下向きに曲がっており、水槽１内に上側から給水できるようになっている。
【００４６】
水槽１の底部には、図１６及び図１７に示すように、複数本の電熱線３を一定の間隔をおいて平行に埋設した発熱板４が設置されている。発熱板４は、本例では、電熱線３として既製のシーズヒータを用いてこれを伝熱性の良い基板４ａに埋設した形態となっており、その平面サイズは、水槽１の底部の周縁部を残してその大部分に及ぶ大きさとなっている。電熱線３は、接続室２５内に設置された電源接続端子（図１６では省略）を介して電源に接続される。発熱板４の中央には、図５に示したような構造の測温器５が付設されている。
【００４７】
この発熱板４上には、強制循環器９が取り外し可能に設置されている。強制循環器９は、図１８に示すように、天板９ａと、その前後左右の４辺縁からそれぞれ垂下する前後の側板９ｂ及び左右の側板９ｃとはあるが、底板が無いことにより下面が開口した横長の箱状となっている。そして、その天板９ａには、円形孔である排出口１０を一定の間隔をおいて複数形成し、前後の側板９ｂには細長い横孔である吸い込み口１１を複数ずつ形成し、左右の側板９ｃには同様の吸い込み口１１を１個ずつ形成している。また、前後及び左右の側板９ｂ・９ｃには外側に折り曲げた鍔部９ｄ・９ｅが形成され、この鍔部９ｄ・９ｅを発熱板４の上面に例えばネジ止めすることにより、強制循環器９は発熱板４上に取り外し可能に設置されている。
【００４８】
水槽１の他端には、外装ハウジング２の他端外部へ突出するオーバーフロー管１５が接続されている。
【００４９】
外装ハウジング２の底部４箇所に突設したブラケット２７に、ネジ付きの調整脚１６が装着されている。
【００５０】
実施例２の加湿装置はこのような構成で、その作用は、スケール付着ネット２９が無いだけで図２及び３を参照して説明した場合と同様であるので、省略する。
【産業上の利用可能性】
【００５１】
上記の実施例では、発熱板４としてシーズヒータを埋設したものを使用したが、電熱線を埋設した面状発熱体と称されている既製のものを使用してもよい。
【図面の簡単な説明】
【００５２】
【図１】従来例の概要断面図である。
【図２】本発明の加湿装置の長手方向の全体概要断面図である。
【図３】図２と直交する方向の概要断面図である。
【図４】測温器の概要断面図である。
【図５】発熱板の加熱温度を測温して制御する制御例を示すグラフである。
【図６】本発明の実施例１の加湿装置全体の外観斜視図である。
【図７】蓋板を取り外したその分解斜視図である。
【図８】強制循環器のみの斜視図である。
【図９】概要断面図である。
【図１０】一端部の平面図である。
【図１１】スケール付着ネットの展開図である。
【図１２】ロール状に巻いたスケール付着ネットの中間省略平面図である。
【図１３】本発明の実施例２の加湿装置全体の外観斜視図である。
【図１４】その外観正面図である。
【図１５】その蓋板を取り外した斜視図である。
【図１６】その断面図である。
【図１７】発熱板の一部平面図である。
【図１８】強制循環器のみの斜視図である。
【符号の説明】
【００５３】
１  水槽
２  外装ハウジング
３  電熱線
４  発熱板
５  温度検知器
６  給水管
６ａ  接続口
７  給水用電磁弁
８  電源接続端子
９  強制循環器
９ａ  天井部（天板）
９ｂ  側部（側板）
９ｃ  側板
９ｄ・９ｅ  鍔部
１０  排出口
１１  吸い込み口
１２  蓋板
１２Ａ  外蓋板
１２Ｂ  内蓋板
１２ａ  ブラケット
１２ｂ  側縁部
１３  蒸気出口
１４  水位検知器
１５  オーバーフロー管
１６  調整脚
１７  熱水
１８ａ  上昇流
１８ｂ  下降流
１９  蒸気
２０  保護管
２１  水位制御用発熱体
２２  感温体
２３  開口
２４  仕切板
２５  接続室
２６  蓋板
２７  ブラケット
２８  断熱材
２９  スケール付着ネット
【図１】
2008190848.tif 000003
【図２】
2008190848.tif 000004
【図３】
2008190848.tif 000005
【図４】
2008190848.tif 000006
【図５】
2008190848.tif 000007
【図６】
2008190848.tif 000008
【図７】
2008190848.tif 000009
【図８】
2008190848.tif 000010
【図９】
2008190848.tif 000011
【図１０】
2008190848.tif 000012
【図１１】
2008190848.tif 000013
【図１２】
2008190848.tif 000014
【図１３】
2008190848.tif 000015
【図１４】
2008190848.tif 000016
【図１５】
2008190848.tif 000017
【図１６】
2008190848.tif 000018
【図１７】
2008190848.tif 000019
【図１８】
2008190848.tif 000020